(57)【要約】      （修正有）【課題】防犯上の安全性を維持しつつ、居住者の利便性を高めることができる格子戸を提供する。【解決手段】格子戸１は、引違い窓における外側ガラス戸の隣に配置されるとともに、内側ガラス戸によって閉鎖される窓枠の開口部に嵌込まれる。また、格子戸１は、窓枠に固定状態で取付けられ内側に開口窓を有する枠状の固定フレーム２５と、通気可能な格子部４２を有し、固定フレーム２５に対して支持され、開口窓を閉鎖する閉鎖位置、及び開口窓を開放する開放位置の間で回動可能な格子状扉体２７と、格子状扉体２７が開くことを規制するとともに、室内側からのみ開錠操作可能なロック部２８とを具備する。また、格子状扉体２７は、左側開き戸４０及び右側開き戸４１によって観音開きとなっている。【選択図】図３
0003170633.tif 000002
【実用新案登録請求の範囲】
【請求項１】
一対のガラス戸を引違い可能に支持する窓枠に取付けられ、一方の前記ガラス戸の隣に配置されるとともに、他方の前記ガラス戸によって閉鎖される前記窓枠の開口部に嵌込まれる格子戸であって、
前記窓枠に固定状態で取付けられ内側に開口窓を有する枠状の固定フレームと、
通気可能な格子部を有し、前記固定フレームに対して支持され、前記開口窓を閉鎖する閉鎖位置、及び前記開口窓を開放する開放位置の間で回動可能な格子状扉体と、
該格子状扉体が前記閉鎖位置から前記開放位置に回動することを規制するとともに、室内側からのみ開錠操作可能なロック部と
を具備することを特徴とする格子戸。
【請求項２】
前記格子状扉体は、前記開口窓の左側の領域を開閉する左側開き戸と、前記開口窓の右側の領域を開閉する右側開き戸とを備え、前記左側開き戸及び前記右側開き戸が、前記開口窓の左右両側に向かって夫々別々に開くように支持されている
ことを特徴とする請求項１に記載の格子戸。
【請求項３】
前記固定フレームの左右端部側に重ねられ、夫々左右外方向に延出して取付けられる一対の延出部材をさらに備え、
互いに重ねられた前記延出部材及び前記固定フレームの内、一方の部材には横長の長孔が形成され、他方の部材には前記長孔と重なり合う位置に雌螺子部が形成されている
ことを特徴とする請求項１または請求項２に記載の格子戸。
【請求項４】
前記延出部材及び前記固定フレームには、夫々少なくとも一部が互いに重なり合う複数の通気孔が形成されている
ことを特徴とする請求項３に記載の格子戸。
【考案の詳細な説明】
【技術分野】
【０００１】
本考案は、格子戸に関するものであり、特に、窓枠に取付けられ外気を室内に取込むことが可能な格子戸に関するものである。
【背景技術】
【０００２】
本考案者は、先にこの種の格子戸を提案している（特許文献１参照）。この格子戸は、図５に示すように、左右一対のガラス戸７１，７２を引違い可能に支持する既設の窓枠７３に後付けされるものであり、ガラス戸７１，７２の一方（ここでは、外側のガラス戸７１を例示）の隣の開口部７４、すなわち他方のガラス戸７２によって閉鎖される窓枠７３の開口部７４に嵌込まれる。この例によれば、内側のガラス戸７２を開くことにより、格子戸７０を通して、外気を室内に取入れたり室内の換気を行ったりすることができる。また、ガラス戸７１及び格子戸７０の移動を規制することで、内側のガラス戸７２を開いたまま就寝した場合でも、防犯上の安全性を保つことが可能である。また、格子戸７０に網戸７５を重ねるようにすれば、虫等が室内に侵入することも防止できる。なお、格子戸７０の厚みは外側のガラス戸７１と同等またはそれ以下であるため、窓枠７３に格子戸７０を装着したままでも、内側のガラス戸７２を自在に開閉することが可能である。
【考案の概要】
【考案が解決しようとする課題】
【０００３】
しかし、上記の格子戸７０によれば、使い勝手の点で改善の余地があった。具体的には、格子戸７０は窓枠７３に固定状態で取付けられるため、窓枠７３の開口部７４が常に閉鎖された状態となり、開口部７４を通して人やペットが出入りしたり、物を出し入れしたりすることができなかった。
【０００４】
これに対し、必要に応じて開口部７４を開放できるように、窓枠７３に格子戸７０を着脱自在に装着することも想到し得る。ところが、これによれば、防犯上の安全性が維持されなくなり、また取外した格子戸７０を収納するためのスペースが必要となるため、改善策としては好ましくない。
【０００５】
そこで、本考案は、上記の実状に鑑み、防犯上の安全性を維持しつつ、居住者の利便性を高めることができる格子戸の提供を課題とするものである。
【課題を解決するための手段】
【０００６】
本考案にかかる格子戸は、
「一対のガラス戸を引違い可能に支持する窓枠に取付けられ、一方の前記ガラス戸の隣に配置されるとともに、他方の前記ガラス戸によって閉鎖される前記窓枠の開口部に嵌込まれる格子戸であって、
前記窓枠に固定状態で取付けられ内側に開口窓を有する枠状の固定フレームと、
通気可能な格子部を有し、前記固定フレームに対して支持され、前記開口窓を閉鎖する閉鎖位置、及び前記開口窓を開放する開放位置の間で回動可能な格子状扉体と、
該格子状扉体が前記閉鎖位置から前記開放位置に回動することを規制するとともに、室内側からのみ開錠操作可能なロック部と
を具備する」
ことを特徴とするものである。
【０００７】
ここで、本考案の格子戸が取付けられる引違い窓は、出入り口として使用される窓（いわゆる「掃き出し窓」）でもよく、出入り口としては使用されない一般的な窓（中窓や小窓）でもよい。また、「窓枠」は、アルミニウム等金属製の窓枠（いわゆるサッシ枠）でもよく、和風である木製の窓枠でもよい。
【０００８】
また、本考案の「格子戸」は、網戸と併用してもよく、網戸を備えることなく使用してもよい。なお、網戸を備えない場合には、格子部に網部材を張設することにより、虫等の侵入を阻止することが可能となる。また、「格子戸」は、外側のガラス戸の隣に取付けてもよく、内側のガラス戸の隣に取付けてもよい。
【０００９】
また、「固定フレーム」を窓枠に固定状態で取付ける構成としては、例えば、上下方向に摺動可能に支持され、窓枠のレール（サッシ枠の場合）または敷居の溝（木製の窓枠の場合）に嵌合する係合部と、係合部をレールまたは敷居の溝に嵌合させた状態で固定する螺子部材とを備えて構成することができる。
【００１０】
また、「開口窓」は、枠状の固定フレームの内側に形成された開口部分である。この「開口窓」は、格子戸全体に亘って形成してもよいが、例えば右半分や下半分など、一部分にのみ形成してもよい。また、互いに分割された複数の開口窓を形成するようにしてもよい。また、「格子状扉体」の開く方向は室内側でも室外側でもよいが、格子戸の室外側に網戸が配置された場合には、室内側に向かって開く構成を採用することが望ましい。なぜなら、網戸を移動（スライド）させる前に格子状扉体を開くことが可能となるからである。
【００１１】
また、「格子部」は、刃物等で容易に切断することのできない材質、例えばステンレス、鋼鉄、またはアルミニウム等の金属で形成することが好ましい。
【００１２】
また、「ロック部」としては、例えば、固定フレームの上部または下部の内面（室内側の面）に配置され、格子状扉体が閉鎖位置のとき、格子状扉体に向かって突出させることで、格子状扉体の上面または下面に係合する係合ピンと、この係合ピンを係合位置と非係合位置との間で上下方向に摺動可能に支持する支持部材と、係合ピンを係合位置または非係合位置で保持する保持部材と、から構成することができる。また、鍵で開閉する錠を別途備え、この錠によって格子状扉体の回動を規制するようにしてもよい。さらに、格子状扉体が開放位置から閉鎖位置に回動した際、その動作に連動して（またはバネ等の付勢力を利用して）自動的にロックされるように構成してもよい。
【００１３】
本考案によれば、格子戸が、一方のガラス戸の隣、すなわち他方のガラス戸によって閉鎖される窓枠の開口部に嵌込まれると、一方のガラス戸及び格子戸は、窓枠の開口部内で同一平面上（例えば同じレール上）に並んで配置され、互いに左右方向への移動が規制される。そして、他方のガラス戸を開くこと（すなわち一方のガラス戸と重ね合わせること）により、格子戸を通して、外気を室内に取入れることが可能となる。
【００１４】
特に、本考案の格子戸は、窓枠に固定状態で取付けられる枠状の固定フレームと、固定フレームの開口窓を開閉する格子状扉体とを備えるため、格子状扉体を開放位置に回動させると、固定フレームの開口窓が開放され、開口窓を通って人やペットが出入りしたり、物を出し入れしたりすることが可能になる。
【００１５】
また、格子戸にはロック部が設けられ、格子状扉体が閉鎖位置から開放位置に回動することが規制されている。このため、開口窓を閉鎖状態に保持することができ、例えば、他方のガラス戸を開いたまま就寝した場合でも、防犯上の安全性を保つことが可能となる。また、ロック部の開錠操作は、室内側でしか行うことができない。したがって、室外からアクセスできないロック部は、比較的シンプルに構成した場合でも、安全性を保つことができる。
【００１６】
また、本考案の格子戸において、
「前記格子状扉体は、前記開口窓の左側の領域を開閉する左側開き戸と、前記開口窓の右側の領域を開閉する右側開き戸とを備え、前記左側開き戸及び前記右側開き戸が、前記開口窓の左右両側に向かって夫々別々に開くように支持されている」
構成とすることができる。
【００１７】
ここで、「左側開き戸」及び「右側開き戸」における左右方向の幅（横幅）は、互いに同じ大きさであってもよく、互いに異なる大きさであってもよい。つまり、夫々の横幅の和が開口窓における開口幅に略一致していれば、夫々の横幅の比率は互いに異なっていても良い。
【００１８】
本考案によれば、格子状扉体は、いわゆる「観音開き」となっており、左側開き戸及び右側開き戸を、開口窓の左右両側に向かって夫々別々に開くことが可能になっている。このため、開口窓を、必要に応じて、部分的にまたは全体的に開放することができ、使い勝手をさらに高めることが可能になる。また、これらの開き戸は、開口窓の左右両側に分かれて開かれるため、格子状扉体全体を一枚扉で構成したものに比べ、開口窓を開放した際の突出量を少なくでき、格子状扉体が室内に配置された他の物品と干渉したり、歩行の障害となったりする可能性を低減できる。
【００１９】
また、本考案の格子戸において、
「前記固定フレームの左右端部側に重ねられ、夫々左右外方向に延出して取付けられる一対の延出部材をさらに備え、
互いに重ねられた前記延出部材及び前記固定フレームの内、一方の部材には横長の長孔が形成され、他方の部材には前記長孔と重なり合う位置に雌螺子部が形成されている」
ことを特徴とするものである。
【００２０】
ところで、格子戸を窓枠に嵌込む際には、格子戸と一方のガラス戸との間、及び格子戸と窓枠の一端側との間に、隙間が生じないようにすることが好ましい。ところが、窓枠のサイズは一般に統一されていない。そこで、従来は、既成の窓枠の大きさに応じた多種類のサイズの格子戸を予め用意したり、注文を受けた後に希望のサイズで格子戸を作製したりしていた。しかし前者の方法では、多種類の格子戸を製造しなければならないため、製造管理及び在庫管理が煩雑となり、一方、後者の方法では、一品ごとの生産となるため製造価格が嵩むとともに納品まである程度期間を要する、という問題を有していた。
【００２１】
これに対し、本考案の格子戸によれば、固定フレームの左右端部側には、夫々一対の延出部材が左右外方向に延出して取付けられている。このため、固定フレームの左右両端から突出する延出部材の突出量を窓枠のサイズに合わせて調整することにより、窓枠の開口部内に隙間が生じないように嵌込むことが可能となる。ここで、互いに重ねられた延出部材及び固定フレームの内、一方の部材には横長の長孔が形成され、他方の部材には長孔と重なり合う位置に雌螺子部が形成されているため、長孔を通して雌螺子部に雄螺子を締結することにより、固定フレームに対して延出部材を固定でき、また、雄螺子を弛めることにより、延出部材を左右方向にスライドさせ幅方向の長さを変えることができる。
【００２２】
また、本考案の格子戸において、
「前記延出部材及び前記固定フレームには、夫々少なくとも一部が互いに重なり合う複数の通気孔が形成されている」
ことを特徴とするものである。
【００２３】
これによれば、延出部材及び固定フレームには、複数の通気孔が設けられているため、全体の通気量を増加させ、快適性をさらに向上させることができる。また、夫々の通気孔は、延出部材を左右方向に移動させても、少なくとも一部が互いに重なり合うため、通気状態を確保することができる。
【考案の効果】
【００２４】
このように、本考案の格子戸によれば、防犯上の安全性を維持しつつ、居住者の利便性を高めることができる。
【図面の簡単な説明】
【００２５】
【図１】本実施形態の格子戸を取付けた引違い窓を、一部を切断して室内側から見た斜視図である。
【図２】格子戸を室内側から見た斜視図である。
【図３】格子状扉体を開いた状態の格子戸を室内側から見た斜視図である。
【図４】（ａ）は高さ調整手段を室内側から見た斜視図であり、（ｂ）は幅調整手段を分解して室内側から見た分解斜視図である。
【図５】従来の格子戸を取付けた引違い窓の構成を示す横断面図である。
【考案を実施するための形態】
【００２６】
以下、本実施形態の格子戸１について図１乃至図４に基づき説明する。また、格子戸１の説明に先立ち、格子戸１が取付けられる引違い窓２の構成について説明する。なお、本実施形態に記載された「右」及び「左」は、室内側から格子戸１を見た場合の方向である。
【００２７】
図１に示すように、引違い窓２は、建物の躯体（図示しない）に固定された既設の掃き出し窓であり、重ねられた際に室外側に配置される一方のガラス戸３（以下「外側ガラス戸３」と称す）と、室内側に配置される他方のガラス戸４（以下「内側ガラス戸４」と称す）と、外側ガラス戸３及び内側ガラス戸４を引違い可能に支持する窓枠５とを備えて構成されている。外側ガラス戸３及び内側ガラス戸４は、ガラス板７と、パッキン８を介してガラス板７を支持する框９とからなる。また、窓枠５は、上枠１１、下枠１２、及び縦枠１３から構成され、また、上枠１１及び下枠１２の内面には、外側ガラス戸３及び内側ガラス戸４を夫々左右方向に摺動可能に支持する外側レール１５及び内側レール１６が形成されている。
【００２８】
また、本例の引違い窓２には網戸１８が備えられている。網戸１８は、枠状のフレーム２０、及びフレーム２０に張設された網部材２１からなり、外側レール１５のさらに室外側に形成された網戸用レール１９によって、左右方向に摺動可能に支持されている。
【００２９】
格子戸１は、窓枠５に後付けされるものであり、外側ガラス戸３の隣（外側レール１５上）に配置されるとともに、内側ガラス戸４によって閉鎖される窓枠５の開口部２３に嵌込まれる。図２に示すように、格子戸１は、窓枠５（図１参照）の外側レール１５に固定状態で取付けられる矩形枠状の固定フレーム２５と、固定フレーム２５の開口窓２６（図３参照）を閉鎖する閉鎖位置、及び開口窓２６を開放する開放位置（図３参照）との間で回動可能に支持された格子状扉体２７と、格子状扉体２７が閉鎖位置から開放位置に回動することを規制するロック部２８と、既設の窓枠５に合致するように、格子戸１における高さ方向の大きさを調整可能な高さ調整手段２９と、格子戸１における左右方向の大きさを調整可能な幅調整手段３０と、を備えて構成されている。
【００３０】
固定フレーム２５は、上下方向に立設された一対の支柱部３１と、一対の支柱部３１の上部に架設された上側塞板３２と、一対の支柱部３１の下部に横設された下側塞板３３と、一対の支柱部３１の左右外側に夫々設けられた左側塞板３４及び右側塞板３５とから枠状に構成され、一対の支柱部３１、上側塞板３２、及び下側塞板３３によって囲まれた領域が、人が出入りすることが可能な大きさ（例えば縦１８０ｃｍ，横５７ｃｍ）の開口窓２６となっている。また、左側塞板３４及び右側塞板３５には、横長の通気孔３７が上下方向に複数個形成されている。通気孔３７は、左側塞板３４及び右側塞板３５の上端部分から下端部分まで全体的に形成されているが、上部、下部及び中間部には通気孔３７が形成されていない部分があり、該部分には雌螺子部３８が形成されている（図４（ｂ）参照）。
【００３１】
一方、格子状扉体２７は、図２及び図３に示すように、開口窓２６の左半分の領域を開閉する左側開き戸４０と、開口窓２６の右半分の領域を開閉する右側開き戸４１とを備え、左側開き戸４０及び右側開き戸４１が、開口窓２６の左右中央から室内の左右両側に向かって夫々別々に開くように支持されている。左側開き戸４０及び右側開き戸４１は、左右対称の形状であり、通気可能な金属製の格子部４２と、格子部４２の周囲を囲む矩形枠状の框枠４３と、框枠４３の左右方向外側の側面を開口窓２６の左右両側の内面に接続するとともに、鉛直方向を軸方向として框枠４３を回動可能に支持する複数のヒンジ部材４４とを備えている。なお、格子部４２は、刃物等で切断することのできない金属製の線材によって構成され、網目の大きさは人の手が入らない程度の大きさに形成されている。
【００３２】
また、左側開き戸４０及び右側開き戸４１の上面及び下面には、挿入孔４６が設けられており、後述するロック部２８の係合ピン５０が挿入孔４６に挿入されることで、左側開き戸４０及び右側開き戸４１が閉鎖位置で保持されるようになっている。
【００３３】
ロック部２８は、上側塞板３２における室内側の面に取付けられた左右一対の上側施錠部４８と、下側塞板３３における室内側の面に取付けられた左右一対の下側施錠部４９とから構成されている。上側施錠部４８及び下側施錠部４９は、互いに同一の構成であり、格子状扉体２７が閉鎖位置のとき、格子状扉体２７に向かって突出させることで、左側開き戸４０及び右側開き戸４１の挿入孔４６に挿入され係合する係合ピン５０と、係合ピン５０を係合位置（突出位置）と非係合位置（後退位置）との間で上下方向に摺動可能に支持する摺動支持部材５１とを備えている。なお、係合ピン５０の周面には突起（図示しない）が形成されており、突起を摺動支持部材５１に形成された縦溝５１ａ内に位置させることで上下方向への摺動が可能となり、一方、係合ピン５０が係合位置または非係合位置のときに、係合ピン５０を一定方向に回転させると、突起が摺動支持部材５１に形成された横溝５１ｂに挿入され、係合ピン５０を係合位置または非係合位置の高さで停止させることが可能になっている。つまり、係合ピン５０の回転によって上下方向に摺動可能な状態と摺動しない状態とに切替えられ、上下方向の摺動によって係合状態（施錠状態）と非係合状態（開錠状態）とに切替えられるようになっている。
【００３４】
また、左側開き戸４０及び右側開き戸４１の略中央の高さにおける突合せ部分には、閉鎖位置での左側開き戸４０及び右側開き戸４１のガタツキを防止する煽防止部５３が設けられている。この煽防止部５３は、左側開き戸４０に設けられ右側開き戸４１側に突出することにより右側開き戸４１の側面に設けられた挿入孔４１ａに挿入される止めピン５４と、止めピン５４を左右方向に摺動可能に支持する支持部材５５とを備えている。つまり、止めピン５４を右側に移動して挿入孔４１ａに挿入させると、左側開き戸４０及び右側開き戸４１に止めピン５４が横架された状態となり、左側開き戸４０及び右側開き戸４１の回動が規制され、一方、止めピン５４を左側に移動して挿入孔４１ａから抜き取ると、左側開き戸４０及び右側開き戸４１の係合状態が解除される。
【００３５】
一方、図２及び図４（ａ）に示すように、高さ調整手段２９は、格子戸１における縦方向の大きさが、既設の窓枠５における開口部２３の高さに一致するように、すなわち上枠１１（図１参照）及び下枠１２に形成された外側レール１５に固定できるように、上下方向の大きさを調整するものであり、四角形の筒状部材からなる支柱部３１の上部側及び下部側に夫々嵌挿され、上下方向に摺動可能な四角柱状の係合部５９を備えている。係合部５９の先端には、縦スリット状の切欠溝６０が形成されており、切欠溝６０を外側レール１５に嵌合わせるように、支柱部３１から突出する係合部５９の突出量を調整することが可能になっている。また、係合部５９が嵌挿された支柱部３１（特に室内側の面）には縦長の長孔６１が形成され、長孔６１に重なり合う係合部５９には雌螺子部６２が形成されており、室内側から長孔６１を通して雌螺子部６２に雄螺子６３を締付けることにより、係合部５９が調整された突出長さで保持されるようになっている。
【００３６】
また、図２及び図４（ｂ）に示すように、幅調整手段３０は、一部分が左側塞板３４及び右側塞板３５の室内側に重ねられ、夫々左右外方向に延出して取付けられる一対の延出部材６４を備えている。延出部材６４には横長の長孔６７が形成され、左側塞板３４及び右側塞板３５に形成された雌螺子部３８に重なり合うようになっている。つまり、室内側から長孔６７を通して雌螺子部３８に雄螺子６８を締付けることにより、左側塞板３４及び右側塞板３５に対して一対の延出部材６４を夫々固定でき、また、雄螺子６８を弛めることにより延出部材６４を左右方向にスライドさせることが可能になっている。
【００３７】
また、延出部材６４には、横長の通気孔６６が、上下方向に複数形成されており、通気孔６６を通して外気を室内に取入れることが可能になっている。特に、通気孔６６は、左側塞板３４及び右側塞板３５に形成された通気孔３７と重なり合う位置に形成されており、延出部材６４を左右方向に移動させても（調整しても）通気孔３７，６６が塞がれず、通気状態が確保されるようになっている。
【００３８】
次に、格子戸１の取付方法について説明する。まず、格子戸１を外側ガラス戸３の隣の開口部２３に挿入し、下側の係合部５９に形成された切欠溝６０を、下枠１２に形成された外側レール１５に嵌合わせる。その後、上側の係合部５９を、その切欠溝６０が上枠１１の外側レール１５に嵌合わされるまで（突当たるまで）伸ばし、その状態で雄螺子６３を、長孔６１を通して雌螺子部６２に締付ける。これにより、格子戸１の上端部分及び下端部分がともに外側レール１５に嵌合し、外側レール１５に固定された状態となる。なお、雄螺子６３は室内側からのみ操作可能であるため、雄螺子６３を緩ませて格子戸１を外そうとする不正な行為が抑止される。
【００３９】
その後、左側の延出部材６４を左側にスライドさせ、その左側の側面を外側ガラス戸３の端面に突当てる。また、右側の延出部材６４を右側にスライドさせ、その右側の端面を窓枠５の右側の内面に突当てる。その後、室内側から長孔６７を通して雌螺子部３８に雄螺子６８に締結すれば、一対の延出部材６４が左側塞板３４及び右側塞板３５に固定され、格子戸１を隙間なく開口部２３に取付けることが可能となる。
【００４０】
続いて、格子戸１の使用方法について説明する。格子戸１が、開口部２３に嵌込まれると、外側ガラス戸３及び格子戸１は、窓枠５の開口部２３内で外側レール１５上に並んで配置される。このため、内側ガラス戸４を開くことにより、網戸１８及び格子戸１を通して、外気を室内に取入れることが可能となるとともに、虫等の侵入が防止される。
【００４１】
一方、図３に示すように格子状扉体２７（左側開き戸４０及び右側開き戸４１）を室内側に開き、さらに網戸１８を網戸用レール１９に沿って左側にスライドさせれば、開口窓２６が開放され、開口窓２６を通って人やペットが出入りしたり、物を出し入れしたりすることが可能になる。また、開口窓２６に布団を干すことも可能になる。さらに開口窓２６を開放することにより、居住者に開放感を与え、快適性を高めることも可能になる。
【００４２】
また、左側開き戸４０及び右側開き戸４１を開いたままカーテン（図示しない）を閉めれば、格子戸１の開口窓２６とカーテンとの間に隙間が生じ、ひいてはカーテンを閉めた場合でも、外気を室内に効率よく取入れることが可能になる。
【００４３】
このように、本実施形態の格子戸１によれば、開口窓２６が開放されるため、開口窓２６を通って人やペットが出入りしたり、物を出し入れしたりすることが可能になり、利便性を高めることができる。
【００４４】
また、本実施形態の格子戸１によれば、ロック部２８によって、格子状扉体２７が閉鎖位置から開放位置に回動することが規制されているため、開口窓２６を閉鎖状態に保持することができ、内側ガラス戸４を開いたまま就寝した場合でも、防犯上の安全性を保つことができる。特に、ロック部２８の開錠操作は、室内側でしか行うことができない。したがって、室外からアクセスできないロック部２８は、比較的シンプルに構成した場合でも、安全性を保つことができる。
【００４５】
また、本実施形態の格子戸１によれば、格子状扉体２７が左側開き戸４０及び右側開き戸４１から構成されているため、部分的にまたは全体的に開放することができ、使い勝手をさらに高めることができる。また、開口窓２６を開放した場合でも左側開き戸４０及び右側開き戸４１の室内側への突出量を少なく抑えることができ、例えば窓際に配置された他の物品（装飾品や観葉植物等）に干渉する可能性を低減できる。また、左側開き戸４０は開口窓２６の左右中央から左側（すなわち窓枠５の中央側）に開かれるため、左側開き戸４０が開かれていることを視覚的に認識させやすい。そのため、格子状扉体２７を開けたまま内側ガラス戸４を閉めようとして、内側ガラス戸４が左側開き戸４０に衝突し、いずれか一方または双方が破損することを防止できる。
【００４６】
また、本実施形態の格子戸１によれば、格子戸１の高さ及び横幅を夫々簡単に調整できるため、窓枠５のサイズが異なっても、共通の格子戸１を用いることができ、製造管理及び在庫管理を容易にするとともに、低廉化することが可能になる。
【００４７】
また、本実施形態の格子戸１によれば、幅調整手段３０では、室内側に配置される延出部材６４に長孔６７が形成され、室外側に配置される固定フレーム２５（右側塞板３５または左側塞板３４）に雌螺子部３８が形成されているため、雄螺子６８を締めたり弛めたりする操作が室内側からのみ可能となり、防犯上の安全性をさらに高めることができる。
【００４８】
さらに、本実施形態の格子戸１によれば、通気孔３７，６６によって全体の通気量を増加させ、外気を効率よく取入れることができる。特に、本実施形態では、夫々の通気孔３７，６６は横長形状であり、互いに重なる位置に形成されているため、延出部材６４を左右方向に移動させても、通気孔が塞がれず、通気状態を確保することができる。
【００４９】
以上、本考案について好適な実施形態を挙げて説明したが、本考案はこれらの実施形態に限定されるものではなく、以下に示すように、本考案の要旨を逸脱しない範囲において、種々の改良及び設計の変更が可能である。
【００５０】
すなわち、上記実施形態では、格子戸１を、外側ガラス戸３の隣（外側レール１５上）に取付けるものを示したが、内側ガラス戸４の隣（内側レール１６上）に取付けるようにしてもよい。ただし、上記実施形態のように外側ガラス戸３の隣に取付けるようにすれば、格子状扉体２７を開かなくても（または格子部４２の網目に手を挿入しなくても）、他方のガラス戸（本例では内側ガラス戸４）を容易に開閉することが可能になるため、便利である。
【００５１】
また、上記実施形態では、格子状扉体２７を、左側開き戸４０及び右側開き戸４１から観音開きに構成するものを示したが、格子状扉体全体を一枚扉で片開きに構成してもよい。これによれば、格子戸１の横幅が比較的狭い場合であっても、開口窓を大きく形成することができるとともに、ロック部の構成を一層シンプルなものとすることが可能である。
【符号の説明】
【００５２】
１  格子戸
３  外側ガラス戸（一方のガラス戸）
４  内側ガラス戸（他方のガラス戸）
５  窓枠
２３  開口部
２５  固定フレーム
２６  開口窓
２７  格子状扉体
２８  ロック部
３７  通気孔
３８  雌螺子部
４０  左側開き戸
４１  右側開き戸
４２  格子部
６１  長孔
６２  雌螺子部
６３  雄螺子
６４  延出部材
６６  通気孔
６７  長孔
６８  雄螺子
【先行技術文献】
【特許文献】
【００５３】
【特許文献１】特開平１０−１８７２５号
【図１】
0003170633.tif 000003
【図２】
0003170633.tif 000004
【図３】
0003170633.tif 000005
【図４】
0003170633.tif 000006
【図５】
0003170633.tif 000007